【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
送信すべきデータで変調された光送信信号を発生させる光送信信号送信手段と、
該光送信信号の波長とは異なる波長のダミー光を発生させるダミー光発生手段と、
該ダミー光と該光送信信号を波長多重する波長多重手段と、
該ダミー光の出力レベルを調整するレベル調整手段とを有することを特徴とする光端局。
【請求項２】
該ダミー光は光送信信号と同じ波長帯域の波長であることを特徴とする請求項１に記載の光端局。
【請求項３】
少なくとも対向する１対の光端局間に、出力信号を一定にする光増幅器を有する光通信システムにおいて、
該光端局は光送信信号と、該光送信信号と異なる波長のダミー光を送信し、該ダミー光のレベルを調整することで、該光増幅器の出力光の光送信信号レベルを制御することを特徴とする光通信システムの制御方法。
【請求項４】
該ダミー光は光送信信号と同じ波長帯域の波長であることを特徴とする請求項３に記載の光通信システムの制御方法。
【請求項５】
第１の光端局と、第２の光端局と、第３の光端局があり、該第１〜第３の光端局を接続する光ブランチングユニットと、該光ブランチングユニットと該第２の光端局間に出力信号を一定にする光増幅器を設け、該光ブランチングユニットで該第１の端局と該第２の端局からの光送信信号を波長多重し第３の端局に伝送するシステムにおいて、
該第２の光端局は、光送信信号と異なる波長のダミー光を送信し、該ダミー光のレベルを調整することで、該光増幅器の出力光の光送信信号レベルを制御することを特徴とする光通信システムの制御方法。
【請求項６】
該ダミー光は光送信信号と同じ波長帯域の波長であることを特徴とする請求項５に記載の光通信システムの制御方法。
【請求項７】
該ブランチングユニットは、前記光送信信号のみを前記第３の光端局側へ伝達する波長選択フィルタを有し、該ダミー光を該第３の光端局に送信しないようにすることを特徴とする請求項５の光通信システムの制御方法。
【請求項８】
該第３の光端局は該第１の光端局とは該第２の光端局から送られてくる光送信信号のレベル情報を検出し、該第２の光端局に該レベル情報送信し、
該第２の光端局は該レベル情報により該ダミー光のレベル制御を行うことを特徴とする請求項５に記載の光通信システムの制御方法。
【請求項９】
第１の光端局と、第２の光端局と、第３の光端局があり、該第１〜第３の光端局を接続する光ブランチングユニットと、該光ブランチングユニットと第２の光端局の間に出力信号を一定にする光増幅器を設け、該光ブランチングユニットで第１の端局と第２の端局からの光送信信号を波長多重し第３の端局に伝送するシステムにおいて、
該第２の光端局は送信すべきデータで変調された光送信信号を発生させる光送信信号送信手段と、
該光送信信号の波長とは異なる波長のダミー光を発生させるダミー光発生手段と、
該ダミー光と該光送信信号を波長多重する波長多重手段と、
該ダミー光の出力レベルを調整するレベル調整手段とを有することを特徴とする光端局。
【請求項１０】
該ブランチングユニットは、前記光送信信号のみを前記第３の光端局側へ伝達する波長選択フィルタを有し、該ダミー光を該第３の光端局に送信しないようにすることを特徴とする請求項９の光端局。
【請求項１１】
光送信信号を出力する第１の光端局と第２の光端局と第３の光端局があり、
第１〜第３の光端局を接続する光ブランチングユニットと、
該光ブランチングユニットと第２の光端局間に光増幅器を設け、
該第２の光端局は送信すべきデータで変調された光送信信号を発生させる手段と、
該光送信信号とは異なる波長のダミー光を発生させる手段と、
該ダミー光の出力レベルを調整するレベル調整手段を有することを特徴とする光通信システム。
【請求項１２】
該ブランチングユニットは該ダミー光を除去するダミー光除去手段を有することを特徴とする請求項１１に記載の光通信システム。
【請求項１３】
該第３の光端局は該第１の光端局とは該第２の光端局から送られてくる光送信信号のレベル情報を検出し、該第２の光端局に該レベル情報を送信し、
該第２の光端局は該レベル情報により該ダミー光のレベル制御を行うことを特徴とする請求項１１に記載の光通信システム。
【請求項１４】
該光増幅器は出力レベルを一定にする自動出力レベルコントロール回路を有することを特徴とする請求項１１に記載の光通信システム。
【請求項１５】
波長多重された光信号を送信する送信局と、
該光信号を受信する受信局と、
該波長多重された光信号の内、特定の波長の光信号を受信し、該特定の波長にのせて光信号を送信するブランチ局と、
該特定の波長の光信号を該送信局から送信されてきた光信号から分岐して該ブランチ局に送信し、該ブランチ局から送信されてきた光信号と、該送信局から送信されてきた該特定の波長以外の光信号とを、双方のパワーレベルを同じにして合波するブランチング手段とを備えることを特徴とする光通信システム。
【請求項１６】
前記ブランチング手段は光アッテネータを備え、前記ブランチ局からの光信号のパワーレベルを調整することを特徴とする請求項１５に記載の光通信システム。
【請求項１７】
前記ブランチング手段は、前記送信局からの光信号のパワーレベルと、前記ブランチ局からの光信号のパワーレベルとを比較し、該ブランチ局からの光信号のパワーレベルを前記比較結果に基づいて調整することを特徴とする請求項１５に記載の光通信システム。
【請求項１８】
前記ブランチング手段は利得を調整可能な光アンプと、
前記ブランチ局からの光信号のパワーレベルを該光アンプの利得を変化させることによって調整する手段を備えることを特徴とする請求項１７に記載の光通信システム。
【請求項１９】
波長多重された光信号を送信する送信局と、該光信号を受信する受信局と、該波長多重された光信号の内、特定の波長の光信号を受信し、該特定の波長にのせて光信号を送信するブランチ局と、該送信局からの光信号のうち特定の波長の光信号を分岐して該ブランチ局に送信し、該ブランチ局から送信されてきた光信号を該送信局からの光信号とを合波して該受信局に送信するブランチングユニットとからなる光通信システムにおいて、
該特定の波長の光信号を該送信局から送信されてきた光信号から分岐して該ブランチ局に送信し、該ブランチ局から送信されてきた光信号と、該送信局から送信されてきた該特定の波長以外の光信号とを、双方のパワーレベルを同じにして合波することを特徴とするブランチングユニット。
【請求項２０】
光アッテネータを備え、前記ブランチ局からの光信号のパワーレベルを調整することを特徴とする請求項１９に記載のブランチングユニット。
【請求項２１】
前記送信局からの光信号のパワーレベルと、前記ブランチ局からの光信号のパワーレベルとを比較し、該ブランチ局からの光信号のパワーレベルを前記比較結果に基づいて調整することを特徴とする請求項１９に記載のブランチングユニット。
【請求項２２】
利得を調整可能な光アンプと、
前記ブランチ局からの光信号のパワーレベルを該光アンプの利得を変化させることによって調整する手段とを備えることを特徴とする請求項２１に記載のブランチングユニット。
【請求項２３】
第１の光端局から波長の異なる複数の光信号を共通の光伝送路を通じて伝送し、上記複数の光信号のうち特定波長の光信号を光ブランチングユニットにより分岐して第２の光端局に送ると共に、上記第２の光端局から上記特定波長の他の光信号を発生して上記光ブランチングユニットに送り、上記光ブランチングユニットにおいて、上記他の光信号を上記複数の光信号から上記分岐された光信号を除いた光信号に挿入して伝送する光通信システムにおいて、
上記第２の光端局は、上記特定波長とは異なる波長の調整用の光を発生して上記他の光信号と合波し、合波した各光信号を出力レベルを光アンプを通じて上記光ブランチングユニットに送り、
上記光ブランチングユニットは、第１の光端局からの光に第２の光端局からの光を挿入して、第３の光端局に送ることを特徴とする光通信システム。
【請求項２４】
波長の異なる複数の光信号を共通の光伝送路を通じて伝送し、上記複数の光信号のうち特定波長の光信号を光ブランチングユニットにより分岐して第１の光端局に送ると共に、上記第１の光端局から上記特定波長の他の光信号を発生して上記光ブランチングユニットに送り、上記光ブランチングユニットにおいて、上記他の光信号を上記複数の光信号から上記分岐された光信号を除いた光信号に挿入して伝送する光通信システムにおいて、
上記第２の光端局は、上記特定波長とは異なる波長の調整用の光を発生して上記他の光信号と合波し、合波した各光信号を出力レベルが一定に制御される光アンプを通じて光ブランチングユニットに送ることを特徴とする光通信システム。